(57)【要約】【課題】リモコンを操作した際の効果がユーザに直感的に理解できるようにすること。従来、ユーザがある場面でリモコン上のあるキーを押した場合に、どのような変化が起きるかを知るためには、ガイドキーを押下して現れるガイダンス等の音声や画面により、画面内で有効なキーや、その効果を調べることで、理解する必要があった。【解決手段】リモコンからのコマンドに応じて番組再生装置の画面を、次のように変更する。（１）前記リモコンから第１のコマンドを受信すると、前記番組再生装置は次の状態に遷移した際の画面を提示する。（２）前記リモコンから第１のコマンドを受信し続けている間、前記番組再生装置は前記キーが押下された際に遷移する画面の提示をする。【選択図】図１
2009098828.tif 000002
【特許請求の範囲】
【請求項１】
リモコンからのコマンドを受信する受信手段と、前記コマンドに応じて表示画面の変更を行う画面制御手段とを備えた番組再生装置において、前記画面制御手段が前記リモコンからの第１のコマンドを受信した際には、次の状態に遷移した際に表示される画面を提示する次画面提示手段と、前記画面制御手段が前記リモコンからの第２のコマンドを受信した際には、前記次の状態に遷移させて画面を表示する次画面移行手段とを備えることを特徴とする番組再生装置。
【請求項２】
前記次画面提示手段は、さらに前記リモコンから前記第１のコマンドを受信し続けている間、前記次の状態に遷移した際に表示される画面を提示することを特徴とする請求項１記載の番組再生装置。
【請求項３】
前記次画面提示手段は、前記次の状態に遷移した際に表示される画面を、現在表示している画面の一部に縮小して提示することを特徴とする請求項１記載の番組再生装置。
【請求項４】
リモコンからのコマンドを受信する受信手段と、前記コマンドに応じて表示画面の変更を行う画面制御手段とを備えた番組再生方法において、前記画面制御手段が前記リモコンからの第１のコマンドを受信した際には、次の状態に遷移した際に表示される画面を提示し、前記画面制御手段が前記リモコンからの第２のコマンドを受信した際には、前記次の状態に遷移させて画面を表示することを特徴とする番組再生方法。
【発明の詳細な説明】
【技術分野】
【０００１】
本発明は、ユーザが操作に迷った際に、制御装置の操作による被制御装置の応答を直感的に理解できるようにする技術に関する。
【背景技術】
【０００２】
近年、テレビ等の多くの番組再生装置では、インターネットに接続してブラウジングできる機能や、放送波などから取得した番組表を用いて視聴したい番組を選択し再生する機能等の豊富な機能が搭載されている。この操作に用いるリモコンは、そのキー数が多くなり、また、ユーザインターフェースとして表示画面上に表されるＧＵＩに用いられるボタン（ＧＵＩボタン）も多数化され、ユーザが行いたいことを実行する操作が複雑になってきている。
【０００３】
この操作の複雑化に対応するため、ユーザをガイドする技術が知られている（例えば特許文献１、２参照）。
【０００４】
特許文献１では、ユーザがリモコン上のキーに触れると、リモコンから音声でキーに対応する機能の説明が行われたり、リモコンに設けられたＬＣＤディスプレイ上にキーに対応する機能の説明が表示され、ユーザがその説明を読むことにより、その操作を理解することができる。さらに、ユーザが行いたいことがガイドされたりする。
【０００５】
特許文献２では、１度目の入力でＧＵＩボタンの暫定的な選択を行い、何を選択したかを音声や画面表示でユーザに示し、２度目の入力でその選択を確定させる。
【特許文献１】特開２００２−２４７６７０号公報
【特許文献２】特開２００５−１３０２８８号公報
【発明の開示】
【発明が解決しようとする課題】
【０００６】
しかし、特許文献１に開示されている技術は、リモコン上のキーに触れてそのキーの機能についてのガイド音声をリモコンから聞いたり、リモコン上のＧＵＩに表現される文字を読んだりする必要があり、キーを押下した際の効果がユーザに即座に直感的に理解できるものではない。
【０００７】
また、特許文献２についても同様に、モニター画面上のＧＵＩに表現されている複数の選択項目について、ユーザが一度選択を行うことでその項目について説明するガイド音声を聞いたり、ＧＵＩ上に表示される文字を読んだりする必要があり、ユーザに即座に直感的に理解できるものではない。
【０００８】
そこで本発明は上記の課題を解決したものであって、ユーザが番組再生装置をリモコンで操作している際に、ユーザがキーを半分程度押下（半押し）した場合に、そのキーが完全に押下（全押し）されることによって確定したときに遷移する画面（次画面）を番組再生装置が表示する。これにより、ユーザがキーを押下した場合の効果を直感的に理解することができ、キーの操作により生じる次画面を確かめることができ、次画面が想定どおりであれば、そのまま操作を継続できる番組再生装置を提供することを目的とする。
【課題を解決するための手段】
【０００９】
上記の目的を達成するために、本発明の番組再生装置は、リモコンからのコマンドを受信する受信手段と、前記コマンドに応じて表示画面の変更を行う画面制御手段とを備えた番組再生装置において、前記画面制御手段が前記リモコンからの第１のコマンドを受信した際には、次の状態に遷移した際に表示される画面を提示する次画面提示手段と、前記画面制御手段が前記リモコンからの第２のコマンドを受信した際には、前記次の状態に遷移させて画面を表示する次画面移行手段とから構成される。
【００１０】
このような構成により、あるリモコンキーを半押しした際に、そのキーを全押しした場合に表示される次画面をユーザに提示することができるので、ユーザは次画面がどのようになるのかを直感的に理解することができる。
【発明の効果】
【００１１】
以上のように本発明の番組再生装置によれば、リモコンのキーや、ＧＵＩボタンが多数となっても、あるリモコンキーを半押し状態にすることで、次画面が表現されることになり、ユーザはそのキーを押下すると生じる効果の確認が、ガイドの説明を聴いたり、読んだりするまでもなく直感的に理解することができる。次画面を確かめることにより、次画面が想定どおりの画面であればそのままリモコンキーを全押し状態にすることで、続けて操作ができるので、ユーザの番組再生装置に対する操作が難しいという抵抗を無くし、ユーザに番組再生装置を簡単に制御させることができる。
【発明を実施するための最良の形態】
【００１２】
本発明の番組再生装置は、リモコンからのコマンドを受信する受信手段と、前記コマンドに応じて表示画面の変更を行う画面制御手段とを備えた番組再生装置において、前記画面制御手段が前記リモコンからの第１のコマンドを受信した際には、次の状態に遷移した際に表示される画面を提示する次画面提示手段と、前記画面制御手段が前記リモコンからの第２のコマンドを受信した際には、前記次の状態に遷移させて画面を表示する次画面移行手段とから構成される。
【００１３】
このような構成により、あるリモコンキーを半押しした際に、そのキーを全押しした場合に表示される次画面をユーザに提示することができるので、ユーザは次画面がどのようになるのかを直感的に理解することができる。
【００１４】
また、本発明の番組再生装置において、前記次画面提示手段は、さらに前記リモコンから前記第１のコマンドを受信し続けている間、前記次の状態に遷移した際に表示される画面を提示するように構成しても構わない。
【００１５】
このような構成により、ユーザは半押しし続けている限り、次画面を確認することができるので、次画面をじっくり確認してから操作することができる。
【００１６】
また、本発明の番組再生装置において、前記次画面提示手段は、前記次の状態に遷移した際に表示される画面を、現在表示している画面の一部に縮小して提示するように構成しても構わない。
【００１７】
このような構成により、ユーザは現在表示されている画面と同時に、リモコンを操作した際の次画面を確認することができるので、現在表示されている画面の情報の概要を失わずに次画面を確認することができる。
【００１８】
（実施の形態）
以下本発明の実施の形態について図面を用いて説明する。
【００１９】
本発明の実施の形態に係る番組再生装置には、インターネットを通じてＷＥＢページ等を閲覧できるブラウザを搭載している。番組再生装置を操作するのに用いるリモコンには、いくつかの方向移動キーや、操作を確定させるキーである「決定」キーを例にとり説明する。
【００２０】
当該ブラウザを用いてＷＥＢページ等を閲覧している場合に、番組再生装置のリモコンの決定キーについて全押しと、半押しの操作が可能であり、それぞれに応じたコマンドが番組再生装置に送信される。リモコンの方向キーなどを操作することでフォーカス移動を行い、画面上に表されているＧＵＩボタンを選択することができる。この際に、リモコンの決定キーの半押しコマンドを番組再生装置が受信した場合には、決定キーで確定処理されたものと同様である、次に遷移した画面（次画面）を提示するが、この状態では、まだ決定キーによる処理が確定されるわけではない。その後に決定キーの全押しコマンドが受信されると次画面への移行が確定され、その処理がなされる。
【００２１】
また、半押しコマンドで次画面が提示されている際に、半押しコマンドを中止（例えば、リモコンの決定キーから指を離すなど）した際には、次画面を提示する前の元の画面（元画面）に戻る。リモコンのキーにおける、半押し、全押しの状態は、例えば、２段階スイッチなどを用いることで実現することができる。
【００２２】
図１は本発明の実施の形態における番組再生装置の構成を示す図、図２は本発明の実施の形態における番組再生装置の処理の流れを表すフローチャート、図３はＧＵＩボタン表示画面を表す図、図４は本発明の実施の形態における次画面の提示画面を表す図、図５は本発明の実施の形態における別の次画面の提示画面を表す図である。
【００２３】
本発明の実施の形態における番組再生装置は、リモコン（図示せず）からコマンドを受信する受信手段１００、リモコンのコマンドに応じて画面を制御する画面制御手段１０１、表示画面に次画面を提示する次画面提示手段１０２と、元画面を次画面に遷移する次画面移行手段１０３とから構成される。
【００２４】
受信手段１００はリモコンからのコマンドを受信している。
【００２５】
ユーザは番組再生装置に搭載されているブラウザを用いて、インターネットを通じてＷＥＢページ等を閲覧しており、表示画面には、図３に示すようにブラウザ上のＧＵＩボタンである「リンクＡ」と表示されたリンクボタン３０２、「リンクＢ」と表示されたリンクボタン３０３が表示されている。
【００２６】
ユーザはリモコンを用いてフォーカスを移動することにより、ブラウザ上のボタンなどが選択される。リモコンの操作によりリンクボタン３０２にフォーカスを移動し、リモコン上の決定キーを半押しすることで、リモコンから決定キーの半押しコマンドが送信され、番組再生装置の受信手段１００は半押しコマンドを受信する。
【００２７】
この際に、図４に示すように、リンクボタン３０２が選択された際の次画面を表示する。これにより、ユーザは、仮にリンクボタン３０２を選択した際には、どのような画面に変わるのかを、あらかじめ知ることができる。また、図５に示すように、リンクボタン３０２が選択された際の次画面を縮小した縮小次画面５０１を、元画面３０１に重ねて表示するようにしても構わない。
【００２８】
図４や図５に示す、次画面を表示している状態で、ユーザが決定キーの半押し状態を止めることで、リモコンから決定キーの半押しコマンドの送信が止まる。受信手段１００は半押しコマンドの受信をしなくなるので、図３に示す元画面３０１が表示される。
【００２９】
図４や図５に示す、次画面を表示している状態でさらに、つまりユーザが決定キーを半押し状態から全押し状態にすることで、リモコンから決定キーの全押しコマンドが送信され、受信手段１００は全押しコマンドを受信する。次画面の提示は、ブラウザがフォーカスの存在するＧＵＩボタンが持つＵＲＬ情報から該ＵＲＬのｈｔｍｌファイルを取得し、それをブラウザで描写することで行われる。その際、元画面のｈｔｍｌファイルは番組再生装置内で保存される。
【００３０】
以下、図２に示す本発明の実施の形態における番組再生装置の処理の流れについて、説明する。
【００３１】
画面制御手段１０１は受信手段１００が受信したリモコンコマンドが半押しコマンドであるか否かを判定する（Ｓ２１）。受信したリモコンコマンドが半押しコマンドでないと判定した場合には、次のリモコンコマンドに対して、判定をする。この処理を、半押しコマンドが受信されるまで繰り返す。半押しコマンドが受信されれば、次画面提示開始処理（Ｓ２２）をする。
【００３２】
次画面提示手段１０２は、受信したリモコンコマンドが半押しコマンドであるという画面制御手段１０１からの情報に基づいて、番組再生装置に次画面の提示を開始させる（Ｓ２２）。
【００３３】
次画面提示手段１０２は次画面提示開始後に、画面制御手段１０１が全押しコマンドの受信をしているか否か判定し（Ｓ２３）、全押しコマンドが受信されていないと判定した場合は、半押しコマンドの受信が継続されているか否かを判定する（Ｓ２３、Ｓ２４）。Ｓ２３〜Ｓ２４の処理の間は、次画面の提示を継続する。
【００３４】
次画面提示手段１０２が次画面提示開始後に、画面制御手段１０１が全押しコマンドを受信したと判定した場合には、次画面移行手段１０３は、表示している画面を次画面に遷移させ、次画面に対する処理の指示を受け付ける（Ｓ２６）。
【００３５】
次画面提示手段１０２が次画面提示開始後に、画面制御手段１０１が全押しコマンドを受信していないと判定し、半押しコマンドも受信していないと判定した場合、次画面提示手段１０２は次画面の提示を中止（Ｓ２５）し、番組再生装置は次画面表示前の元画面を表示する。元画面の表示は、ブラウザが保存していたｈｔｍｌファイルをブラウザで再描写することで行われる。例えば、図５の次画面の提示から図４の元のＧＵＩボタン選択表示に画面の表示が戻ることになり、ユーザは次画面を直感的に理解した後に決定キーの半押し状態を解除することで簡単に元画面へ戻ることができ、図３のＧＵＩボタン選択表示内で継続して選択操作を行うことができる。
【００３６】
つまり、次画面がそのまま変化することなく次の操作における元画面となり、ユーザは次画面を把握して決定後すぐに操作を行うことができる。
【００３７】
なお、本実施の形態では、次画面を提示する際、図４のように画面全体に対して次画面を表示していたが、図５のように次画面を縮小して元の画面上の一部に表示しても、本発明を実現することができる。この場合、Ｓ２５で次画面提示を中止する場合は画面上から縮小した次画面が消え、図３のように元の画面に戻ることになる。また、Ｓ２６で元画面を次画面に遷移する際も、画面上から縮小した次画面が消え、さらに画面上の元の画面が当該次画面に切り替わることとなる。つまり画面上では図５の表示から図４の表示に切り替わることとなる。
【００３８】
また、本実施の形態では、リモコンからコマンドを送信する際にリモコンキーの入力状態を半押しまたは全押しで分けて説明したが、これは本発明のリモコンキーの入力状態を分ける方法の一例である。その他にも、リモコンキーにユーザの指が接触している状態とリモコンキーを押下している状態とで区別することや、リモコンキーを１回押した状態と２回押した状態等による区別等、リモコン側または番組再生装置側で、ユーザがリモコンを用いて指示した２種類の状態を２種類のコマンドとして認識できるのであれば、他の入力方法でも構わない。
【００３９】
また、本実施の形態では、ブラウザ上のＧＵＩボタンを例に挙げて説明したが、ブラウザは本発明で用いた機能の一例であり、テレビのＧＵＩメニューにおける選択操作等、他のＧＵＩ操作でも本発明を実現することができる。
【００４０】
また、本実施の形態では、リモコン上の決定キーを例に挙げて説明したが、リモコン上の決定キーだけではなく、移動キーやメニューキー等その他のキーに対しても、半押しまたは全押しすることとしても構わない。
【００４１】
また、本実施の形態では、次画面の提示と元画面の表示を行う際、元画面のｈｔｍｌファイルを番組再生装置内に保存し、元画面の表示の際は当該ｈｔｍｌファイルを再描写すると説明したが、これは本発明を用いた次画面の提示と元画面の表示に用いる手法の一例であり、ブラウザが元画面を描写した際の画像をメモリに保存して、元画面の表示の際には保存されていたメモリから再描写したりすることとしても構わないし、元画面の表示に関する情報を改めて取得することとしても構わない。
【産業上の利用可能性】
【００４２】
本発明の番組再生装置によれば、次画面を表示することでユーザ自身が行う操作を直感的に理解することができるので、様々なＧＵＩを搭載した番組再生装置等において有用である。
【図面の簡単な説明】
【００４３】
【図１】本発明の実施の形態における番組再生装置の構成を示す図
【図２】本発明の実施の形態における番組再生装置の処理の流れを表すフローチャート
【図３】本発明の実施の形態におけるＧＵＩボタン表示画面を表す図
【図４】本発明の実施の形態における次画面の提示画面を表す図
【図５】本発明の実施の形態における別の次画面の提示画面を表す図
【符号の説明】
【００４４】
１００  受信手段
１０１  画面制御手段
１０２  次画面提示手段
１０３  次画面移行手段
【図１】
2009098828.tif 000003
【図２】
2009098828.tif 000004
【図３】
2009098828.tif 000005
【図４】
2009098828.tif 000006
【図５】
2009098828.tif 000007